(57)【要約】【課題】携帯端末装置とカーナビゲーション装置の情報共有をより便利にする。【解決手段】携帯端末装置は、名称と住所情報と電話番号とを対応づけて格納するメモリダイヤル記憶部と、名称と住所情報と電話番号とのうちから選択された指定情報を生成する指定情報生成部と、カーナビゲーション装置に対して通信セッションを開始するためのリクエストを送信し、カーナビゲーション装置に対して指定情報を送信する通信部とを備える。【選択図】図１
2007278905.tif 000002
【特許請求の範囲】
【請求項１】
名称と住所情報と電話番号とを対応づけて格納するメモリダイヤル記憶部と、
前記名称と前記住所情報と前記電話番号とのうちから選択された指定情報を生成する指定情報生成部と、
カーナビゲーション装置に対して通信セッションを開始するためのリクエストを送信し、前記カーナビゲーション装置に対して前記指定情報を送信する通信部
とを具備する
携帯端末装置。
【請求項２】
請求項１に記載された携帯端末装置であって、
前記通信部は、前記カーナビゲーション装置に対して前記リクエストを送信して前記カーナビゲーション装置から保存情報を取得し、
更に、所定の形式を備えた前記保存情報の一片を、前記所定の形式に応じて前記名称、前記住所情報及び前記電話番号のいずれかとして前記メモリダイヤル記憶部に登録するメモリダイヤル情報判別部と、
前記所定の形式を備えていない前記保存情報の他片を記憶する地図情報記憶部
とを具備する
携帯端末装置。
【請求項３】
請求項１又は２に記載された携帯端末装置であって、
ＵＳＢホストである前記通信部はＵＳＢデバイスである前記カーナビゲーション装置に接続可能であり、且つ前記通信部と前記カーナビゲーション装置は赤外線通信可能である
携帯端末装置。
【請求項４】
請求項１から３のうちのいずれか１項に記載された携帯端末装置であって、
前記指定情報生成部は、前記通信部が前記リクエストを送信した後に前記指定情報を生成する
携帯端末装置。
【請求項５】
車両に設置されるカーナビゲーション装置と、
前記カーナビゲーション装置に対して通信セッションを開始するためのリクエストを送信する携帯端末装置
とを具備し、
前記携帯端末装置は、
名称と住所情報と電話番号とを対応づけて格納するメモリダイヤル記憶部と、
前記名称と前記住所情報と前記電話番号とのうちから選択された指定情報を生成する指定情報生成部と、
前記カーナビゲーション装置に対して前記指定情報を送信する通信部
とを備え、
前記カーナビゲーション装置は、
前記指定情報によって指定される位置を予め記憶された地図情報から検索して表示する
情報共有システム。
【請求項６】
請求項５に記載された情報共有システムであって、
前記カーナビゲーション装置は、前記指定情報が前記住所情報を含むとき、前記住所情報を優先的に用いて前記地図情報の検索を行う
情報共有システム。
【請求項７】
請求項５又は６に記載された情報共有システムであって、
前記通信部は、前記カーナビゲーション装置に対して前記リクエストを送信して前記カーナビゲーション装置から保存情報を取得し、
前記携帯端末装置は更に、
所定の形式を備えた前記保存情報の一片を、前記所定の形式に応じて前記名称、前記住所情報及び前記電話番号のいずれかとして前記メモリダイヤル記憶部に登録するメモリダイヤル情報判別部と、
前記所定の形式を備えていない前記保存情報の他片を記憶する地図情報記憶部
とを備える
情報共有システム。
【請求項８】
請求項５から７のうちのいずれか１項に記載された情報共有システムであって、
ＵＳＢホストである前記通信部はＵＳＢデバイスである前記カーナビゲーション装置に接続可能であり、且つ前記通信部と前記カーナビゲーション装置は赤外線通信可能である
情報共有システム。
【請求項９】
請求項５から８のうちのいずれか１項に記載された情報共有システムであって、
前記指定情報生成部は、前記通信部が前記リクエストを送信した後に前記指定情報を生成する
情報共有システム。
【発明の詳細な説明】
【技術分野】
【０００１】
本発明は、カーナビゲーションシステムと外部機器の情報通信に関する。
【背景技術】
【０００２】
カーナビゲーション装置の利便性を向上するために、様々な技術が開発されている。例えば、入力された電話番号から電子地図上の位置を検索するカーナビゲーション装置が知られている。更に、携帯電話と情報通信するカーナビゲーション装置が知られている。
【０００３】
特許文献１には、地図上の任意の地点をその内部住所データとともに登録する地点登録手段と、内部住所データを外部の携帯情報端末の住所データ構造に変換して送信する送信手段とを備えることを特徴とするナビゲーション装置が記載されている。
【０００４】
特許文献２には、地図配信サーバ及び地図配信方法及びプログラムを記録したコンピュータ読み取り可能な記録媒体及びプログラムが記載されている。その［発明の詳細な説明］には、インターネットを介して地図配信サーバ、携帯電話端末、ナビゲーション端末等が接続された構成が記載されている。
【特許文献１】特開２００３‐２０７３５９号公報
【特許文献２】特開２００３‐２３３６０９号公報
【発明の開示】
【発明が解決しようとする課題】
【０００５】
本発明の目的は、携帯端末装置とカーナビゲーション装置の情報共有をより便利にする携帯端末装置と情報共有システムとを提供することである。
本発明の他の目的は、カーナビゲーション装置における地図上の位置の指定を簡単に行うことを可能にする携帯端末装置と情報共有システムとを提供することである
【課題を解決するための手段】
【０００６】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００７】
本発明による携帯端末装置（１）は、名称と住所情報と電話番号とを対応づけて格納するメモリダイヤル記憶部（２‐１）と、名称と住所情報と電話番号とのうちから選択された指定情報を生成する指定情報生成部（２‐４）と、カーナビゲーション装置（８）に対して通信セッションを開始するためのリクエストを送信し、カーナビゲーション装置（８）に対して指定情報を送信する通信部（５）とを備える。
【０００８】
本発明による携帯端末装置（１）において、通信部（５）は、カーナビゲーション装置（８）に対してリクエストを送信してカーナビゲーション装置（８）から保存情報を取得する。携帯端末装置（１）は更に、所定の形式を備えた保存情報の一片を、所定の形式に応じて名称、住所情報及び電話番号のいずれかとしてメモリダイヤル記憶部（２‐１）に登録するメモリダイヤル情報判別部（２‐３）と、所定の形式を備えていない保存情報の他片を記憶する地図情報記憶部（２‐２）とを備える。
【０００９】
本発明による携帯端末装置（１）において、ＵＳＢホストである通信部（５）はＵＳＢデバイスであるカーナビゲーション装置（８）に接続可能であり、且つ通信部（５）とカーナビゲーション装置（８）は赤外線通信可能である。
【００１０】
本発明による携帯端末装置（１）において、指定情報生成部（２‐４）は、通信部（５）がリクエストを送信した後に指定情報を生成する。
【００１１】
本発明による情報共有システムは、車両に設置されるカーナビゲーション装置（８）と、カーナビゲーション装置（８）に対して通信セッションを開始するためのリクエストを送信する携帯端末装置（１）とを備える。携帯端末装置（１）は、名称と住所情報と電話番号とを対応づけて格納するメモリダイヤル記憶部（２‐１）と、名称と住所情報と電話番号とのうちから選択された指定情報を生成する指定情報生成部（２‐４）と、カーナビゲーション装置（８）に対して指定情報を送信する通信部（５）とを備える。カーナビゲーション装置（８）は、指定情報によって指定される位置を予め記憶された地図情報から検索して表示する。
【００１２】
本発明による情報共有システムにおいて、カーナビゲーション装置（８）は、指定情報が住所情報を含むとき、住所情報を優先的に用いて地図情報の検索を行う。
【００１３】
本発明による情報共有システムにおいて、通信部（５）は、カーナビゲーション装置（８）に対してリクエストを送信してカーナビゲーション装置（８）から保存情報を取得する。携帯端末装置（１）は更に、所定の形式を備えた保存情報の一片を、所定の形式に応じて名称、住所情報及び電話番号のいずれかとしてメモリダイヤル記憶部（２‐１）に登録するメモリダイヤル情報判別部（２‐３）と、所定の形式を備えていない保存情報の他片を記憶する地図情報記憶部（２‐２）とを備える。
【００１４】
本発明による情報共有システムにおいて、ＵＳＢホストである通信部（５）はＵＳＢデバイスであるカーナビゲーション装置（８）に接続可能であり、且つ通信部（５）とカーナビゲーション装置（８）は赤外線通信可能である。
【００１５】
本発明による情報共有システムにおいて、指定情報生成部（２‐４）は、通信部（５）がリクエストを送信した後に指定情報を生成する。
【発明の効果】
【００１６】
本発明によれば、携帯端末装置とカーナビゲーション装置の情報共有をより便利にする携帯端末装置と情報共有システムとが提供される。
更に本発明によれば、カーナビゲーション装置における地図上の位置の指定を簡単に行うことを可能にする携帯端末装置と情報共有システムとが提供される。
【発明を実施するための最良の形態】
【００１７】
以下、図面を参照しながら本発明における携帯端末装置と情報共有システムを実施するための最良の形態について詳細に説明する。図１は、携帯端末装置が用いられる情報共有システムの構成を示す。情報共有システムは、携帯端末装置１とカーナビゲーションシステム８とを含む。
【００１８】
携帯端末装置１は、装置制御部２を備える。装置制御部２は、メモリダイヤル記憶部２‐１、地図情報記憶部２‐２、メモリダイヤル情報判別部２‐３及び指定情報生成部２‐４を備える。装置制御部２は、出力デバイスであるＬＣＤ３と、入力デバイスであるキー入力部４とを備える。装置制御部２の備える演算制御装置と記憶装置、ＬＣＤ３及びキー入力部４は、コンピュータを構成する。メモリダイヤル記憶部２‐１と地図情報記憶部２‐２とは、それぞれ指定されたメモリ領域によって実現される。メモリダイヤル情報判別部２‐３及び指定情報生成部２‐４とは、演算制御装置が記憶装置に記憶されたプログラムを読み取り、そのプログラムに記述された手順にしたがって情報処理を実行することによって実現される。
【００１９】
メモリダイヤル記憶部２‐１は、個人名及び会社名に例示される名称と、電話番号と、住所を示す住所情報とを対応づけたエントリを含むメモリダイヤル情報を記憶する。ユーザは、キー入力部４を操作してメモリダイヤル情報をＬＣＤ３に表示する。
【００２０】
装置制御部２は電話部１０に接続される。電話部１０は、無線電話回線を介する電話機能を実現する。ユーザは、キー入力部４を用いて、ＬＣＤ３に表示されたメモリダイヤル情報から所望のエントリを選択し、通話ボタンを押下することにより、通話相手の呼び出しを行い、電話する。
【００２１】
演算制御部２は外部Ｉ／Ｆ部５に接続される。外部Ｉ／Ｆ部５は、ＵＳＢのホスト側のコネクタであるＡコネクタ６‐１を備える。外部Ｉ／Ｆ部は、赤外線ポート７‐１を備える。外部Ｉ／Ｆ部５は、受信データ記憶部５−１を備える。
【００２２】
カーナビゲーションシステム８は、車両に搭載される端末装置である。カーナビゲーションシステム８は、入力デバイスから入力された目的地を電子地図上で探し出し、目的地までの経路の情報を生成してディスプレイに出力する。カーナビゲーションシステム８は、ＵＳＢのデバイス側のコネクタであるＢコネクタ６‐２を備える。カーナビゲーションシステム８は、赤外線ポート７‐２を備える。
【００２３】
図２は、携帯端末装置１がカーナビゲーションシステム８に情報を送信するときの動作を示すフローチャートである。
【００２４】
ステップＳ１：ユーザは、カーナビゲーションシステム８に情報を送信するために、キー入力部４に所定の操作を行う。装置制御部２は、カーナビゲーションシステム８との通信ステータスをモニターする。装置制御部２は、カーナビゲーションシステム８との通信が確立されるまで、待機処理を行う。
【００２５】
ステップＳ２：携帯端末装置１とカーナビゲーションシステム８との通信が確立されると、装置制御部２は、その通信がＵＳＢ通信６であるか赤外線通信７であるかを示す通信手段情報を生成する。ＵＳＢ通信６と赤外線通信７との両方により通信できる状態の場合は、転送速度が速いＵＳＢ通信６が優先的に選択され、通信手段情報として設定される。
【００２６】
ステップＳ３：通信手段情報がＵＳＢ通信６を示すとき、外部Ｉ／Ｆ部５は、カーナビゲーションシステム８と、ＵＳＢ通信６による通信セッションを開始するためのリクエストを送信しネゴシエーションを行う。
ステップＳ４：通信手段情報が赤外線通信７を示すとき、外部Ｉ／Ｆ部５は、カーナビゲーションシステム８と、赤外線通信７による通信セッションを開始するためのリクエストを送信しネゴシエーションを行う。
【００２７】
ステップＳ５：カーナビゲーションシステム８との通信が確立されると、指定情報生成部２‐４は、カーナビゲーションシステム８に対して送信する送信データが既に選択されているか否か確認する。
ステップＳ６：指定情報生成部２‐４は、送信データが選択されていない場合、時間待ち処理を行う。
【００２８】
ステップＳ７：ユーザは、ＬＣＤ３に表示されるメモリダイヤル情報のエントリを参照してキー入力部４を操作することにより、いずれかのエントリを選択する。指定情報生成部２‐４は、選択されたエントリを送信用データとして作業用送信バッファに格納する。
【００２９】
ステップＳ８：装置制御部２は、送信用データが作業用送信バッファに格納されると、接続ステータスを確認する。
ステップＳ９：接続がＵＳＢ通信６によって行われていたら、作業用送信バッファに格納された送信用データをＵＳＢ通信用データに変換し、ＵＳＢ通信６によって送信用データをカーナビゲーションシステム８に送信する。
ステップＳ１０：接続が赤外線通信７によって行われていたら、作業用送信バッファに格納された送信用データを赤外線通信用データに変換し、赤外線通信７によって送信用データをカーナビゲーションシステム８に送信する。
【００３０】
こうした動作により、携帯端末装置１に登録されているメモリダイヤル情報がカーナビゲーションシステム８に転送される。ユーザは、カーナビゲーションシステム８の入力デバイスを操作して、メモリダイヤル情報に含まれる名称、住所情報又は電話番号をカーナビゲーションシステム８のディスプレイに表示させる。ユーザは、表示された名称、住所情報又は電話番号を選択することにより、それらの情報によって特定される場所の電子地図をディスプレイ上に表示させる、更にその場所をカーナビゲーションの目的地として設定する。一般に携帯端末装置１にはユーザがよく使う、又は新しく用いるようになった場所の情報が登録されている。本実施の形態における携帯端末装置及び情報共有システムにより、そうした情報をカーナビゲーションシステム８で容易に使用することができる。
【００３１】
ユーザは、カーナビゲーションシステム８の近くで携帯端末装置１を操作することにより赤外線通信７を介して簡単にカーナビゲーションシステム８にデータを転送できる。ユーザは、携帯端末装置１から多量のデータを携帯端末装置１に転送したいときには、ＵＳＢケーブルを接続することにより、短時間でデータの転送を行うことができる。携帯端末装置１がホスト側（マスター側）であるため、カーナビゲーションシステム８の側に特別な操作を行うことなく、携帯端末装置１を操作することによってデータ転送が実行される。
【００３２】
指定情報生成部２‐４は、ステップＳ１〜Ｓ４において外部Ｉ／Ｆ部５によって通信セッションが開始された後に、ステップＳ５、Ｓ６において指定情報を生成する。これにより、通信セッションを開始するための待ち時間、例えばカーナビゲーションシステム８が省電力モードから通常モードに戻って通信を開始するための待ち時間に、ユーザが送信データの選択を行うことが可能である。そのためユーザにとっての待ち時間が抑制される。こうした効果は、携帯端末装置１がＵＳＢ通信６のホストであることによって達成される。
【００３３】
図３は、携帯端末装置１がカーナビゲーションシステム８から情報を取得するときの動作を示すフローチャートである。
【００３４】
ステップＳ１８：携帯端末装置１は、定期的にカーナビゲーションシステム８に対して、転送すべきデータを格納するバッファの状態を問い合わせる。バッファに転送すべきデータが存在するときは、カーナビゲーションシステム８はデータを送信する。
【００３５】
ステップＳ１１：携帯端末装置１は、カーナビゲーションシステム８からＵＳＢ通信６又は赤外線通信７による電波の受信状態を確認する。データを受信していないとき、携帯端末装置１は以下のＳ１１〜Ｓ１７の処理をスキップする。
【００３６】
ステップＳ１２：携帯端末装置１は、カーナビゲーションシステム８にバッファされた転送用のデータである保存情報のうちまだ受信していないデータが残っているとき、ステップＳ１７の処理を行い、そうでないとき、ステップＳ１３の処理を行う。
ステップＳ１７：携帯端末装置１は、受信したデータを受信データ記憶部５‐１に一次保存する。カーナビゲーションシステム８から受信した保存情報は、受信データ記憶部５‐１に蓄積される。
【００３７】
ステップＳ１３：メモリダイヤル情報判別部２‐３は、受信した保存情報の中から、名称、住所及び電話番号を示す部分を、所定の形式に基づいた判別アルゴリズムによって判別する。
ステップＳ１４：メモリダイヤル情報判別部２‐３は、名称、住所及び電話番号を示すと判別された保存情報の部分を、メモリダイヤル記憶部２‐１に名称、住所及び電話番号としてそれぞれ登録する。
ステップＳ１６：メモリダイヤル情報判別部２‐３は、名称、住所及び電話番号を示すと判別されなかった保存情報の部分を地図情報として地図情報記憶部２‐２に登録する。
【００３８】
ステップＳ１５：装置制御部２は、登録されたデータをＬＣＤ３に表示し、データの転送が完了したことをユーザに知らせる。
【００３９】
以上の動作により、携帯端末装置１はカーナビゲーションシステム８からデータを取得する。メモリダイヤル記憶部２‐１に登録された名称、住所又は電話番号は、ユーザが電話部１０を用いて電話をかけるときにメモリダイヤルとして使用される。
【図面の簡単な説明】
【００４０】
【図１】図１は、情報共有システムの構成を示す。
【図２】図２は、携帯端末装置がカーナビゲーションシステムに情報を送信するときの動作を示す。
【図３】図３は、携帯端末装置がカーナビゲーションシステムから情報を取得するときの動作を示す。
【符号の説明】
【００４１】
１…携帯端末装置
２…装置制御部
３…ＬＣＤ
４…キー入力部
５…外部Ｉ／Ｆ部
６…ＵＳＢ通信
６‐１…Ａコネクタ
６‐２…Ｂコネクタ
７‐１…赤外線ポート
７‐２…赤外線ポート
８…カーナビゲーションシステム
【図１】
2007278905.tif 000003
【図２】
2007278905.tif 000004
【図３】
2007278905.tif 000005